(57)【要約】【課題】鍋と内蓋をシールする鍋パッキンを備えた炊飯器において、鍋フランジ部に着脱自在な鍋パッキンを備えることで、炊飯器の衛生的な使用と安定した性能を実現する。【解決手段】炊飯器本体１内に鍋３を着脱自在に収納し、炊飯器本体１の上面開口部を蓋体６により開閉自在に覆い、蓋体６の下面を内蓋１３により形成し、鍋３の鍋フランジ部１７に鍋３と内蓋１３をシールする鍋パッキン１８を配設する。鍋パッキン１８は鍋フランジ部１７に着脱自在にする。【選択図】図１
2005102970.tif 000002
【特許請求の範囲】
【請求項１】
炊飯器本体と、前記炊飯器本体内に着脱自在に収納される鍋と、前記炊飯器本体の上面開口部を開閉自在に覆う蓋体と、前記蓋体の下面を形成する内蓋と、前記鍋の鍋フランジ部に配設し前記鍋と内蓋をシールする鍋パッキンとを備え、前記鍋パッキンは鍋フランジ部に着脱自在にした炊飯器。
【請求項２】
内蓋の鍋パッキン当接面の平面部は、鍋パッキンの内蓋当接面の平面部より広くした請求項１記載の炊飯器。
【請求項３】
鍋パッキンは、鍋フランジ部の外側に一部肉厚部を備えた請求項１または２記載の炊飯器。
【請求項４】
内蓋を加熱する内蓋加熱手段を備え、蓋体の閉時には、前記内蓋は全周で鍋フランジ部と当接する全周当接部を備えた請求項１〜３のいずれか１項に記載の炊飯器。
【請求項５】
蓋体の閉時には、内蓋の最下面は鍋フランジ部より下方に位置し、前記内蓋の鍋フランジ部との全周当接部と前記最下面とをつなぐ前記内蓋の形状は、鍋側面部に可能な限り近接する構成とした請求項４記載の炊飯器。
【発明の詳細な説明】
【技術分野】
【０００１】
本発明は、鍋と内蓋をシールする鍋パッキンを備えた炊飯器に関するものである。
【背景技術】
【０００２】
従来、炊飯器は図８に示すように構成していた。以下、その構成について説明する。
【０００３】
図８に示すように、炊飯器本体２７は、上面が開口する略円筒状に形成しており、この炊飯器本体２７の内部には鍋収納部である保護枠２８を配設しており、この保護枠２８内には内周面に描かれた水位線を有する鍋２９を着脱自在に配設している。保護枠２８の外側に鍋２９を加熱する鍋加熱手段３０を配設しており、鍋２９の側面外側に鍋側面加熱手段３１を配設している。
【０００４】
炊飯器本体２７の上部には蓋体３２を開閉自在に取り付けている。蓋体３２は、上枠３３の後部に一体に形成したヒンジ部３４にピン３５を介して回動自在に支持し、ヒンジばね３６により付勢されている。蓋体３２の他端には、蓋体３２の開放を抑止する上枠３３の前方に回動自在に軸支されたフック釦３７を配設し、フック釦３７が蓋体３２に嵌合しているときは、蓋体３２は開放することなくフック釦３７に保持され、閉塞状態となっている。
【０００５】
蓋体３２の下部に、炊飯および保温中に発生する蒸気を排出する内蓋蒸気口３８を略中央部に有する内蓋３９を配設し、さらにその上部に内蓋３９を加熱する内蓋加熱手段４０と鍋２９内の炊飯および保温中に発生する蒸気を排出する製品外部と連通している筒形状の蒸気排出通路４１を配設している。蒸気排出通路４１と内蓋３９の間には、蒸気口パッキン４２を配設し、蒸気が蓋体３２の内部に流入するのを防止している。また、内蓋３９の外周部には、鍋３２の鍋フランジ部４３の上面と当接する鍋パッキン４４を内蓋支え４５と内蓋３９の間に挟み込む形で配設しており、炊飯および保温中に発生する蒸気が内蓋蒸気口３８以外から外部に流出するのを防止している（例えば、特許文献１参照）。
【特許文献１】特開２００２−３００９６０号公報
【発明の開示】
【発明が解決しようとする課題】
【０００６】
しかしながら、このような従来の炊飯器では、鍋パッキン４４を内蓋支え４５と内蓋３９の間に挟み込む構成をとっているため、鍋パッキン４４は単体では取り外し不可能となっていた。そのため、炊飯器使用時において、鍋パッキン４４はおねばや蒸気に曝されやすいにも関わらず、単体で着脱できず、容易に手入れすることができなかった。また、挟み込む構成をとっているため、嵌合する部品間の隙間に一旦おねばや米粒等の異物が侵入すると、隙間から取り除くのは困難であり、また取り除くことのできなかった異物が腐敗したりして、内蓋３９を不衛生にしてしまう問題があった。
【０００７】
さらに、鍋パッキン４４が蓋体３２に付属する内蓋３９と一体に構成されているため、過度な蓋体３２のずれや鍋２９の収納位置ずれ等が発生した際に、鍋パッキン４４と内蓋３９の当接面面積を十分確保できない場合があり、その際は、内蓋３９と鍋フランジ部４３をうまくシールできずに、蒸気漏れを引き起こしてしまうこともあった。この蒸気漏れが使用時の火傷等の要因となり、製品の安全性を損なうとともに、炊飯性能および保温性能を低下させる要因にもなっていた。
【０００８】
また、鍋パッキン４４を内蓋３９と鍋フランジ部４３の間に挟み込むことで内蓋３９と鍋の間をシールする構成としているため、鍋パッキン４４の材質は弾性が大きいシリコンゴムやエラストマーで形成しているが、その熱伝導性は優れていない。一方、鍋パッキン４４を挟み込む内蓋３９と鍋２９は、それぞれの加熱手段により、多くの熱を鍋２９内のご飯に伝達する必要があるため、熱伝導性の大きい金属材料で形成している。
【０００９】
このため、従来の炊飯器の構成では内蓋３９、鍋パッキン４４、鍋フランジ部４３の間にそれぞれの熱伝導率の差が原因で温度差が生じてしまい、炊飯時および保温時において、鍋２９内の水分が鍋２９内で最も温度に低い鍋パッキン４４近傍に結露してしまっていた。この結露した露が、炊飯終了時もしくは保温時に蓋体３２を開放した際に、鍋パッキン４４の内部に一旦溜められた後に上枠３３に滴下してしまい、炊飯器の品位の低下をもたらしていた。
【００１０】
また、それらの結露した露は、特に保温時において、鍋パッキン４４近傍から、鍋側面部４７を伝って鍋２９内のご飯に滴下してしまい、鍋側面部４７下方のご飯に局所的な白化をもたらし、保温性能の低下も引き起こしていた。また、このような露の滴下が原因となる問題を回避するために、内蓋加熱手段４０に多くの電流を供給し、内蓋３９を加熱し、露を蒸発させようとするとすると、今度は逆にご飯上面の乾燥による保温性能の低下や消費電力過多という問題を発生していた。
【００１１】
本発明は上記従来の課題を解決するもので、鍋フランジ部に着脱自在な鍋パッキンを備えることで、炊飯器の衛生的な使用と安定した性能を実現することを目的としている。
【課題を解決するための手段】
【００１２】
本発明は上記目的を達成するために、炊飯器本体内に鍋を着脱自在に収納し、炊飯器本体の上面開口部を蓋体により開閉自在に覆い、蓋体の下面を内蓋により形成し、鍋の鍋フランジ部に鍋と内蓋をシールする鍋パッキンを配設し、鍋パッキンは鍋フランジ部に着脱自在にしたものである。
【００１３】
これにより、鍋パッキンおよび内蓋の手入れが容易となり、衛生的な使用と安定した性能を実現することができ、また、鍋パッキンを鍋フランジ部に装着することにより、使用時に上枠に露が滴下するのを防止できるため、炊飯器の品位が低下するのを防止することができる。
【発明の効果】
【００１４】
本発明の炊飯器は、鍋パッキンおよび内蓋の手入れが容易となり、衛生的な使用と安定した性能を実現することができる。
【発明を実施するための最良の形態】
【００１５】
第１の発明は、炊飯器本体と、前記炊飯器本体内に着脱自在に収納される鍋と、前記炊飯器本体の上面開口部を開閉自在に覆う蓋体と、前記蓋体の下面を形成する内蓋と、前記鍋の鍋フランジ部に配設し前記鍋と内蓋をシールする鍋パッキンとを備え、前記鍋パッキンは鍋フランジ部に着脱自在にしたものであり、鍋パッキンおよび内蓋の手入れが容易となり、炊飯器の衛生的な使用と安定した性能を実現することができ、また、鍋パッキンを鍋フランジ部に装着することにより、使用時に上枠に露が滴下することを防止できるため、炊飯器の品位が低下するのを防止することができる。
【００１６】
第２の発明は、上記第１の発明において、内蓋の鍋パッキン当接面の平面部は、鍋パッキンの内蓋当接面の平面部より広くしたものであり、鍋パッキンと内蓋のシールを確実にでき、炊飯時の蒸気漏れを防ぐことができ、炊飯器の安全性と安定した性能を実現することができる。
【００１７】
第３の発明は、上記第１または第２の発明において、鍋パッキンは、鍋フランジ部の外側に一部肉厚部を備えたものであり、鍋を持ち運びする際に、肉厚部が把手の役割を果たし、炊飯器の使用性を向上することができる。また、鍋を炊飯器本体に装着する際に、肉厚部が鍋の位置決めの役割を果たし、炊飯時の蒸気漏れを防ぐことができ、炊飯器の安全性と安定した性能を実現することができる。
【００１８】
第４の発明は、上記第１〜３のいずれか１つの発明において、内蓋を加熱する内蓋加熱手段を備え、蓋体の閉時には、前記内蓋は全周で鍋フランジ部と当接する全周当接部を備えたものであり、鍋フランジ部と内蓋の間の温度差を軽減でき、保温性能の向上、保温時の省エネルギー効果を得ることができる。また、内蓋と鍋フランジ部との全周当接と、鍋パッキンと内蓋との全周当接が２重シール構成となり、炊飯時の蒸気漏れを防ぐことができ、炊飯器の安全性と安定した性能を実現することができる。
【００１９】
第５の発明は、上記第４の発明において、蓋体の閉時には、内蓋の最下面は鍋フランジ部より下方に位置し、前記内蓋の鍋フランジ部との全周当接部と前記最下面とをつなぐ前記内蓋の形状は、鍋側面部に可能な限り近接する構成としたものであり、鍋フランジ部と鍋フランジ部近傍の鍋側面部と内蓋の間の温度差を軽減でき、保温性能の向上と、保温時の省エネルギー効果を得ることができる。
【００２０】
以下、本発明の実施の形態について、図面を参照しながら説明する。なお、この実施の形態によって本発明が限定されるものでない。
【００２１】
（実施の形態１）
図１に示すように、炊飯器本体１は、上面が開口する略円筒状に形成しており、この炊飯器本体１の内部に鍋収納部である保護枠２を配設し、この保護枠２内には内周面に描かれた水位線を有する鍋３を着脱自在に配設している。保護枠２の外側に鍋３を加熱する鍋加熱手段４を配設しており、鍋３の側面外側に鍋側面加熱手段５を配設している。炊飯時には、鍋加熱手段４に電流を供給して鍋３を加熱して鍋３内の米を炊飯し、炊飯終了前になると、鍋側面加熱手段５にも電流を供給し、鍋３上部への露付着を防いでいる。保温時には、鍋加熱手段４、鍋側面加熱手段５に電流の供給量とタイミングを調整しながら、ご飯温度を安定させ、さらに鍋３上部への露の付着を防いでいる。
【００２２】
炊飯器本体１の上部に蓋体６を開閉自在に取り付けている。蓋体６は、上枠７の後部に一体に形成したヒンジ部８にピン９を介して回動自在に支持し、ヒンジぱね１０により付勢されている。蓋体６の他端には、蓋体６の開放を抑止する上枠７の前方に回動自在に軸支されたフック釦１１を配設し、フック釦１１が蓋体６へ嵌合しているときには、蓋体６は開放することなくフック釦１１に保持され、閉塞状態となっている。
【００２３】
蓋体６の下部に、炊飯および保温中に鍋内に発生する蒸気を排出する内蓋蒸気口１２を有する内蓋１３を配設し、その上部に製品外部と連通している筒形状の蒸気排出通路１４を配設し、蒸気排出通路１４の上部に蓋体蒸気口１５を配設している。
【００２４】
蒸気排出通路１４と内蓋１３の間に蒸気口パッキン１６を配設し、蒸気が蓋体６の内部に流入するのを防止している。また、鍋３の鍋フランジ部１７には、内蓋１３と当接する鍋パッキン１８を着脱自在に配設し、内蓋１３と鍋３の間をシールする役割を果たし、炊飯および保温中に鍋３内に発生する蒸気が内蓋蒸気口１２以外から外部に流出するのを防止している。
【００２５】
また、図２に示すように、内蓋１３の鍋パッキン当接面１９の平面部を鍋パッキン１８の内蓋当接面２０の平面部より広くしている。
【００２６】
上記構成において作用を説明する。鍋パッキン１８を鍋フランジ部１７に着脱自在に配設することで、鍋パッキン１８単体での取り外しも容易となり、その手入れも容易となる。また、同時に内蓋１３と鍋パッキン１８が独立した構成となっているため、内蓋１３の手入れも従来と比較して容易になる。
【００２７】
また、炊飯時および保温時に鍋パッキン１８近傍に鍋３内の水分が結露している状態で蓋体１３を開放した際にも、蓋体６側に鍋パッキン１８が付属していないため、鍋パッキン１８内に溜められた露が蓋体６の開放と同時に上枠７に滴下することがない。
【００２８】
また、内蓋１３の鍋パッキン当接面１９の平面部を鍋パッキン１８の内蓋当接面２０の平面部より広くとることで、過度な蓋体６のずれや鍋３の収納位置ずれ等が発生した際にも、鍋パッキン１８と内蓋１３の当接面面積を十分確保でき、内蓋１３と鍋３の間のシールを確実にすることができる。
【００２９】
以上のように、本実施の形態においては、鍋３の鍋フランジ部１７に鍋３と内蓋１３をシールする鍋パッキン１８を配設し、鍋パッキン１８は鍋フランジ部１７に着脱自在にしたので、鍋パッキン１８および内蓋１３の手入れが容易となり、衛生的な使用と安定した性能を実現することができ、また、鍋パッキン１８を鍋フランジ部１７に装着することにより、使用時に上枠７に露が滴下するのを防止できるため、炊飯器の品位が低下するのを防止することができる。
【００３０】
また、内蓋１３の鍋パッキン当接面１９の平面部は、鍋パッキン１８の内蓋当接面２０の平面部より広くしたので、鍋パッキン１８と内蓋１３のシールを確実にでき、炊飯時の蒸気漏れを防ぐことができ、炊飯器の安全性と安定した性能を実現することができる。
【００３１】
（実施の形態２）
図３に示すように、鍋パッキン１８は、鍋３の鍋フランジ部１７に着脱自在に配設し、鍋３と内蓋１３をシールするもので、その一部に、鍋フランジ部１７の外側に肉厚部２１を備えている。他の構成は上記実施の形態１と同じであり、同一符号を付して説明を省略する。
【００３２】
上記構成において作用を説明する。従来より鍋パッキン１８の材質は、弾性の大きいシリコンゴムやエラストマー等で形成されているが、その熱伝導性は内蓋１３や鍋３に用いられいる金属材料と比較すると優れていない。そのため、炊飯および保温後の鍋３の熱時においても、鍋パッキン１８の肉厚部２１の温度は鍋３の温度に対して高くなく、鍋パッキン１８の肉厚部２１の温度が人の手で持ち運びのできる温度（５０℃程度）になった際に、鍋パッキン１８の肉厚部２１を掴むことで、鍋３の温度が高いにもかかわらず鍋３をを持ち運ぶことができる。
【００３３】
以上のように、本実施の形態においては、鍋パッキン１８は、鍋フランジ部１７の外側に一部肉厚部２１を備えたので、鍋パッキン１８が鍋３を持ち運ぶ際に、把手の役割を果たし、炊飯器の使用性の向上を実現することができる。なお、鍋フランジ部１７の外側に肉厚部２１を設けているのは、鍋パッキン１８の肉厚部２１が鍋３内のご飯に影響を来し、炊飯性能および保温性能を低下させないよう考慮したためである。
【００３４】
また、同時に、鍋パッキン１８の肉厚部２１は、鍋３の位置を規定する手段にもなる。例えば、上枠７に鍋パッキン１８の肉厚部２１に対応する溝等を設けると、鍋３の位置規定は明確になる。さらに、例えば、図４に示すように、鍋パッキン１８の肉厚部２１を鍋中心に対して対称に設けると、鍋３の位置決めを明確にできると同時に鍋３を持ち運び性も向上する。
【００３５】
このように上記構成を取ることで、炊飯時の蒸気漏れを防ぐことができ、炊飯器の正常な使用ができるため、炊飯器の安全性と安定した性能を実現することができる。
【００３６】
（実施の形態３）
図５に示すように、蓋体６には、内蓋１３の上方に内蓋１３を加熱する内蓋加熱手段２２を配設している。また、内蓋１３は、図６に示すように、蓋体６閉時に鍋フランジ部１７と全周で当接する全周当接部２３を備えている。他の構成は上記実施の形態１と同じであり、同一符号を付して説明を省略する。
【００３７】
上記構成において作用を説明する。炊飯時には、鍋加熱手段４に電流を供給して鍋３を加熱し、鍋３内の米を炊飯し、炊飯終了前になると、鍋側面加熱手段５、内蓋加熱手段２２にも電流を供給し、鍋３の上部および内蓋１３への露付着を防いでいる。また、保温時には鍋加熱手段４、鍋側面加熱手段５、内蓋加熱手段２３に電流の供給量とタイミングを調整しながら、ご飯温度を安定させ、さらに鍋３の上部および内蓋１３への露の付着を防いでいる。
【００３８】
内蓋１３と鍋フランジ部１７が鍋パッキン１８を挟み込まずに直接全周で当接し、かつ内蓋１３、鍋３がそれぞれ熱伝導性の優れた金属材料で形成されていることから、内蓋１３と鍋フランジ部１７の間の温度差は少なくなり、内蓋１３と鍋フランジ部１７の全周当接部２３近傍の温度分布は良好となる。なお、この効果は、内蓋１３と鍋３を同じ金属材料を用いて成型し、熱伝導性を統一するとより増大することができる。
【００３９】
蓋体６には、内蓋１３の上方に内蓋１３を加熱する内蓋加熱手段２２を配設し、内蓋１３は蓋体６閉時に鍋フランジ部１７と全周で当接する全周当接部２３を備えているので、内蓋１３と鍋フランジ部１７の全周当接部２３近傍の温度分布を良好にすると、鍋３内に含まれる水分が内蓋１３と鍋フランジ部１７の全周当接部２３近傍に集中的に結露することは減少する。このことにより、炊飯直後や保温時に、内蓋１３と鍋フランジ部１７の全周当接部２３近傍に発生する露は減少し、露が要因で発生する、例えば、炊飯時においては露の滴下による局所的なご飯のふやけ、保温時においては鍋側面部２４を伝って滴下した露による鍋側面部２４下方のご飯の局所的な白化等の度合いを軽減でき、炊飯性能および保温性能の低下を抑制することができる。
【００４０】
また、従来は、内蓋１３と鍋パッキン１８と鍋フランジ部１７の当接部近傍に発生する露を減少させるために、内蓋加熱手段２２に多くの電流を通電し、内蓋１３を加熱して露を蒸発させていたが、本実施の形態では、内蓋１３と鍋フランジ部１７の全周当接部２３近傍の温度分布が良好なため、内蓋加熱手段２２に過度に多くの電流を通電する必要はないため、保温時において従来よりも消費電力量を減少させることができ、同時にその結果として省エネルギーの効果も得ることができる。さらに、適度な内蓋加熱手段２２からの内蓋１３の加熱が実現できるため、ご飯表面の乾燥や黄変を軽減できるとともに、しっとりしたご飯表面を維持でき、保温性能の向上も実現できる。
【００４１】
また、内蓋１３と鍋パッキン１８と鍋フランジ部１７の全周当接部２３の外側で鍋パッキン１８と内蓋１３が当接し、内蓋１３と鍋パッキン１８をシールしているため、内蓋１３と鍋フランジ部１７の全周当接と鍋パッキン１８と内蓋１３の全周当接による２重シール構成となっている。なお、その際、蓋体６開時の鍋パッキン１８の内蓋当接面２０と鍋フランジ部１７との距離が、内蓋１３の鍋パッキン当接面１９と鍋フランジ部１７の当接面との距離より長くないと、鍋パッキン１８が内蓋１３に押し付けられずに内蓋１３と鍋パッキン１８によるシール構成は得られない。
【００４２】
以上のように、本実施の形態においては、蓋体６の閉時には、内蓋１３は全周で鍋フランジ部１７と当接する全周当接部２３を備えたので、鍋フランジ部１７と内蓋１３の間の温度差を軽減でき、保温性能の向上、保温時の省エネルギー効果を得ることができる。また、内蓋１３と鍋フランジ部１７との全周当接と、鍋パッキン１８と内蓋１３との全周当接が２重シール構成となり、炊飯時の蒸気漏れを防ぐことができ、炊飯器の安全性と安定した性能を実現することができる。
【００４３】
（実施の形態４）
図７に示すように、内蓋１３の最下面２５は鍋フランジ部１７より、下方に位置し、内蓋１３の鍋フランジ部１７との全周当接部２３と内蓋１３の最下面２５とをつなぐ内蓋１３の形状は、鍋側面部２４に可能な限り近接する構成としている。他の構成は上記実施の形態３と同じであり、同一符号を付して説明を省略する。
【００４４】
上記構成において作用を説明する。鍋側面部２４と内蓋１３との隙間部２６の雰囲気温度は、鍋側面部２４と内蓋１３のそれぞれの加熱手段により加熱された鍋側面部２４と内蓋１３から発せられる熱の影響を受けて上昇する。このため、鍋側面部２４と内蓋１３との隙間部２６近傍の温度分布が良好となり、鍋３内に含まれる水分が隙間部２６近傍に集中的に結露することは減少する。このことにより、炊飯直後や保温時に、鍋側面部２４と内蓋１３との隙間部２６近傍に発生する露は減少し、露が要因で発生する、鍋側面部２４を伝って滴下した露による鍋側面部２４下方のご飯の局所的なふやけや白化等の度合いを軽減でき、炊飯性能および保温性能の低下を抑制することができる。
【００４５】
また、従来は、鍋側面部２４に発生する露を減少させるために、鍋側面加熱手段５に多くの電流を通電し、鍋側面部２４を加熱して露を蒸発させていたが、本実施の形態では、鍋側面部２４と内蓋１３との隙間部２６近傍の温度分布が良好なため、鍋側面加熱手段５に過度に多くの電流を通電する必要はないため、保温時において従来よりも消費電力量を減少させることができ、同時にその結果として省エネルギーの効果も得ることができる。さらに、適度な鍋側面加熱手段５からの鍋側面部２４の加熱が実現できるため、鍋側面部２４のご飯の乾燥を抑制でき、保温性能の向上も実現できる。
【００４６】
以上のように、本実施の形態においては、蓋体６の閉時には、内蓋１３の最下面は鍋フランジ部１７より下方に位置し、内蓋１３の鍋フランジ部１７との全周当接部２３と最下面とをつなぐ内蓋１３の形状は、鍋側面部２４に可能な限り近接する構成としたので、鍋フランジ部１７と鍋フランジ部１７近傍の鍋側面部２４と内蓋１３の間の温度差を軽減でき、保温性能の向上と、保温時の省エネルギー効果を得ることができる。
【産業上の利用可能性】
【００４７】
以上のように、本発明にかかる炊飯器は、鍋パッキンおよび内蓋の手入れが容易となり、衛生的な使用と安定した性能を実現することができるので、鍋の鍋フランジ部に配設し鍋と内蓋をシールする鍋パッキンを備えた炊飯器として有用である。
【図面の簡単な説明】
【００４８】
【図１】本発明の実施の形態１における炊飯器の一部切欠した側面図
【図２】同炊飯器の要部拡大断面図
【図３】本発明の実施の形態２における炊飯器の要部断面図
【図４】同炊飯器の鍋に鍋パッキンを装着した状態の要部断面図
【図５】本発明の実施の形態３における炊飯器の一部切欠した側面図
【図６】同炊飯器の要部拡大断面図
【図７】本発明の実施の形態４における炊飯器の要部断面図
【図８】従来の炊飯器の一部切欠した側面図
【符号の説明】
【００４９】
１  炊飯器本体
３  鍋
６  蓋体
１３  内蓋
１７  鍋フランジ部
１８  鍋パッキン
【図１】
2005102970.tif 000003
【図２】
2005102970.tif 000004
【図３】
2005102970.tif 000005
【図４】
2005102970.tif 000006
【図５】
2005102970.tif 000007
【図６】
2005102970.tif 000008
【図７】
2005102970.tif 000009
【図８】
2005102970.tif 000010